(57)【要約】【課題】部分的に切断された蓋部をボトル内に残しつつ、確実にボトル内部を洗浄する。【解決手段】ボトル開栓部１１０には、その内周面上に、ボトル洗浄ノズル１１２が一体的に設けられている。第１ボトル３９の蓋部３９ｃのうち破断されていない残部３９ｅの中心は、ボトル開栓部１１０の径方向断面中心を通る鉛直線Ｌ１に対して、−４５°の角をなす直線Ｌ２上にある。ボトル洗浄ノズル１１２の中心は、鉛直線Ｌ１に対して＋９０°の角をなす直線上にある。折り曲げられた蓋部３９ｃと、ボトル洗浄ノズル１１２とが、ボトル開栓部１１０の径方向において干渉しない。また、ボトル洗浄ノズル１１２から噴射されて第１ボトル３９内を洗浄した後、消毒液タンク８７へ向けてボトル開栓部１１０を通過するボトル洗浄液１３６（戻り液）の、濃縮液注入路１０９の径方向断面における液面（水位）よりも、ボトル洗浄ノズル１１２は高い位置にある。【選択図】図６
2010051425.tif 000002
【特許請求の範囲】
【請求項１】
消毒液の濃縮液を貯えたボトルの口部を閉塞する蓋部を、一部を残して口部から破断し、その残部を支点に蓋部をボトル内に折り曲げて、濃縮液の流出口を口部に形成することにより、消毒液タンクに濃縮液を流入させるボトル開栓部と、
前記ボトル開栓部内に設けられ、ボトル内に向けて洗浄液を噴出するノズルとを備え、
前記ノズルは、前記ボトル開栓部により折り曲げられた蓋部に、噴出した洗浄液があたらず、且つボトル内に向けて噴出した洗浄液の戻り液の水位よりも高い位置に配されていることを特徴とする消毒装置。
【請求項２】
前記ボトル開栓部は、口部の径方向断面中心を通る鉛直線とのなす角が略±９０°の線の範囲内に残部の中心が位置するように蓋部を破断し、
前記ノズルの中心は、口部の径方向断面中心と残部の中心を通る直線とのなす角が略±４５°の線の範囲外に配されていることを特徴とする請求項１記載の消毒装置。
【請求項３】
前記ボトル開栓部は、口部の径方向断面中心を通る鉛直線とのなす角が略±４５°の線上に残部の中心が位置するように蓋部を破断し、
前記ノズルの中心は、鉛直線とのなす角が略−４５°および略−９０°の線の範囲内（残部が略４５°の線上に位置するとき）、または鉛直線とのなす角が略４５°および略９０°の線の範囲内（残部が略−４５°の線上に位置するとき）に配されていることを特徴とする請求項２記載の消毒装置。
【請求項４】
前記ボトル開栓部は、口部の径方向断面中心を通る鉛直線の鉛直上向きの線上に残部の中心が位置するように蓋部を破断し、
前記ノズルの中心は、鉛直線とのなす角が略４５°および略９０°の線の範囲内、または略−４５°および略−９０°の線の範囲内のうちの少なくともいずれかに配されていることを特徴とする請求項２記載の消毒装置。
【請求項５】
前記ノズルは、前記ボトル開栓部の内壁面に一体的に設けられていることを特徴とする請求項１ないし４いずれか記載の消毒装置。
【請求項６】
前記ノズルは、複数設けられていることを特徴とする請求項１ないし５いずれか記載の消毒装置。
【請求項７】
前記ノズルは、断面円形状の噴出口をもつことを特徴とする請求項１ないし６いずれか記載の消毒装置。
【請求項８】
前記ノズルは、スリット状の噴出口をもつことを特徴とする請求項１ないし７いずれか記載の消毒装置。
【請求項９】
スリット状の噴出口は、前記ボトル開栓部の内壁面形状に沿って形成されていることを特徴とする請求項８記載の消毒装置。
【請求項１０】
前記ノズルに洗浄液を供給する洗浄液供給手段と、
前記ノズルから噴出する洗浄液の噴出量を計測する計測手段と、
前記計測手段の計測結果に基づき、噴出量が所定範囲内となるよう前記洗浄液供給手段の駆動を制御する制御手段とをさらに備えることを特徴とする請求項１ないし９いずれか記載の消毒装置。
【請求項１１】
前記洗浄液供給手段は、洗浄液が流れる洗浄液流路と、該流路に洗浄液を送り出すポンプとを有し、
洗浄液流路は、消毒液タンクに供給する希釈液が流れる希釈液流路から分岐していて、ポンプは、前記二つの流路で共用されていることを特徴とする請求項１０記載の消毒装置。
【請求項１２】
洗浄液流路および希釈液流路の分岐箇所には、流路を切り換える流路切換手段が設けられており、
前記制御手段は、前記計測手段の計測結果に基づき、洗浄液の噴出量が所定量となったときに、流路切換手段を駆動して洗浄液流路から希釈液流路に流路を切り換えることを特徴とする請求項１１記載の消毒装置。
【請求項１３】
前記制御手段は、洗浄液流路への洗浄液の供給量よりも希釈液流路への希釈液の供給量が多くなるように、ポンプの駆動を制御することを特徴とする請求項１１または１２記載の消毒装置。
【請求項１４】
前記計測手段は、洗浄液の瞬間流量、積算流量、または洗浄液の噴出時間のうちのいずれかを計測することを特徴とする請求項１０ないし１３いずれか記載の消毒装置。
【請求項１５】
所定量の濃縮液が消毒液タンクに供給されたことを検知する第１センサと、
濃縮液を希釈して所定濃度の消毒液を調整し得る、所定量の洗浄液または希釈液が消毒液タンクに供給されたことを検知する第２センサとをさらに備え、
前記制御手段は、前記第１センサにより所定量の濃縮液が消毒液タンクに供給されたことを検知したときに、前記洗浄液供給手段を駆動し、
前記第２センサにより所定量の洗浄液または希釈液が消毒液タンクに供給されたことを検知したときに、前記洗浄液供給手段の駆動を停止、もしくは消毒液タンクへの希釈液の供給を停止することを特徴とする請求項１０ないし１４いずれか記載の消毒装置。
【発明の詳細な説明】
【技術分野】
【０００１】
本発明は、ボトルから消毒液タンクに消毒液の濃縮液を供給し、消毒液タンク内で濃縮液と希釈液とを混合して所定濃度の消毒液を調製する消毒装置に関する。
【背景技術】
【０００２】
生体の体腔内の検査や治療に使用される医療機器として、内視鏡が知られている。内視鏡は、体腔内に挿入される挿入部を備えている。挿入部は、可撓性を有する棒状体であり、体腔内を撮影する撮影部と、処置具が挿通される鉗子チャンネル等の各種チャンネルを備えている。使用後の内視鏡は、挿入部の外表面と各チャンネル内に体液や汚物が付着している。体液や汚物に含まれる病原菌やウイルスは院内感染の原因となるので、使用後の内視鏡は、必ず洗浄、消毒されている。
【０００３】
内視鏡の洗浄、消毒を効率的に行うため、内視鏡洗浄消毒装置が利用されている。内視鏡洗浄消毒装置は、使用後の内視鏡を洗浄槽に収容し、洗浄工程、消毒工程等の各種工程を自動的に行う。洗浄工程は、内視鏡に水、洗剤等を噴射して外表面及び各チャンネル内に付着した体液や汚物を洗い流す。消毒工程は、装置内に設けられている消毒液タンクから洗浄槽内に所定量の消毒液を供給し、洗浄槽内に貯えられた消毒液中に内視鏡を浸漬させる。洗浄工程で除去されなかった病原菌やウイルスを消毒液により除去、または病原性を消失させている。
【０００４】
消毒液には、例えば、グルタールアルデヒト、オフトフタルアルデヒト、過酢酸等の高水準消毒剤が用いられている。従来は、グルタールアルデヒトが多用されていたが、現在では、消毒効果が高く、人体への悪影響が少ない過酢酸への切り換えが進んでいる。
【０００５】
消毒液は、例えば、消毒液タンク内に、過酢酸の濃縮液（以下、濃縮液と呼ぶ）と希釈液（例えば、水）とを供給し、両者を混合させて所定濃度とすることによって調製する。濃縮液は、例えば、過酢酸濃度が６％であり、１０％以上の過酸化水素を含んでいるため、劇物扱いとされている。濃縮液は、プラスチックで形成された専用のボトルに入れられている。
【０００６】
濃縮液を封入したボトルは、内視鏡洗浄消毒装置に設けられたボトル取付部に取り付けられる。濃縮液は、ボトル取付部と消毒液タンクとをつなぐ濃縮液注入路を流れて、消毒液タンクに供給される。濃縮液が供給された消毒液タンクには、所定量の水が希釈液として供給され、これにより所定濃度の消毒液が生成される。
【０００７】
過酢酸とその濃縮液には、非常に強い臭気がある。したがって、消毒装置の外部に濃縮液の臭気が漏れると作業環境が悪化する。この臭気漏れ対策として、ボトルの口部に銀紙やプラスチックなどで形成された薄膜の閉塞部を設け、ボトル取付部には突起部を設けて、ボトルがボトル取付部に取り付けられるときに、閉塞部が突起によって分離切断されることによりボトル内の液を排出する構成がとられていた。この構成によれば、ボトルとボトル取付部は、気密、かつ液密に結合されるので、ボトルがボトル取付部に取り付けられている間は、ボトル内に残っている濃縮液の臭気が消毒装置の外に漏れることはない。しかし、閉塞部を分離切断してしまうと、切断された閉塞部が消毒液タンク内に落下してしまう不具合や、切断された閉塞部がボトル取付部と消毒液タンクをつなぐ管路に詰まるなどの不具合が生じる。
【０００８】
この不具合を防止するため、例えば特許文献１では、ボトルの口部に取り付けられるキャップに、口部を閉塞する閉塞部を設け、ボトル取付部に、刃部、拡張面部、逃がし部、押圧部を形成している。ボトルをボトル取付部に差し込んでゆくと、まず刃部が閉塞部に破断部を形成し、ボトルの進入深さに応じて拡張面部が破断部を拡張してゆく。ただし、逃がし部を設けているので、破断部が閉塞部の全周にわたることは防止される。押圧部の働きにより、逃がし部により残された結合部分（閉塞部の、キャップから切り離されていない部分）を支点にして閉塞部がボトル内側に折り曲げられ、ボトルに濃縮液の流路が形成される。この構成によれば、閉塞部がボトルの外に出ることはないので、閉塞部が消毒液タンク内に落下したり、ボトル取付部と消毒液タンクをつなぐ管路に詰まるなどの不具合は発生しない。
【０００９】
また、消毒液の交換時にはボトル取付部から空のボトルを取り外すが、このときにボトル内、及びボトル取付部内に残留している濃縮液の臭気が外部に漏れてしまうことを防ぐため、例えば特許文献２では、消毒液タンク内に、ボトルを洗浄するための洗浄ノズルを設ける実施形態を開示している。また、ボトルコネクタに直接ボトル濯ぎ用のチューブを接続する実施形態も開示している。消毒液交換時にボトルをボトル取付部から取り外す前に、洗浄ノズルから噴出する洗浄液によりボトル内部を濯ぐ。
【特許文献１】特開２００６−２３０４９３号公報
【特許文献２】特開平１１−１３７５０６号公報
【発明の開示】
【発明が解決しようとする課題】
【００１０】
ボトルを取り付ける際にも取り外す際にも臭気漏れを防ぎ、かつ分離切断された閉塞部に起因する問題を防止することが好ましいが、特許文献１のように、ボトルの閉塞部を部分的に破断して液の流路を形成する場合、このボトルを特許文献２のように消毒液タンク内の洗浄ノズルから噴出される洗浄液により濯ごうとすると、ノズルから噴出される洗浄液がボトル内で折り曲げられた閉塞部に当たってしまい、ボトルの奥まで洗浄液が届かないおそれがある。また、ノズルから噴射されてボトル内部を洗浄した戻り液がノズルから噴出される洗浄液と衝突（干渉）してしまうことにより、ボトル洗浄が十分に行えなくなる懸念もある。
【００１１】
特許文献２の別の実施形態のように、ボトルコネクタに直接ボトル濯ぎ用チューブを接続する方法をとった場合、戻り液とノズルから噴出される洗浄液との衝突の問題が残るうえ、ボトルからの濃縮液の排出とボトルへの洗浄液の供給を１つのチャンネル（ボトル濯ぎ用チューブ）で行わなければならないため、消毒液タンク側に複雑な機構が要求されるという問題もある。
【００１２】
本発明の目的は、部分的に切断された閉塞部をボトル内に残しつつ、簡単な構成で確実にボトル内部を洗浄することにある。
【課題を解決するための手段】
【００１３】
上記目的を達成するために、本発明の消毒装置は、消毒液の濃縮液を貯えたボトルの口部を閉塞する蓋部を、一部を残して口部から破断し、その残部を支点に蓋部をボトル内に折り曲げて、濃縮液の流出口を口部に形成することにより、消毒液タンクに濃縮液を流入させるボトル開栓部と、前記ボトル開栓部内に設けられ、ボトル内に向けて洗浄液を噴出するノズルとを備え、前記ノズルは、前記ボトル開栓部により折り曲げられた蓋部に、噴出した洗浄液があたらず、且つボトル内に向けて噴出した洗浄液の戻り液の水位よりも高い位置に配されていることを特徴とする。
【００１４】
前記ボトル開栓部は、口部の径方向断面中心を通る鉛直線とのなす角が略±９０°の線の範囲内に残部の中心が位置するように蓋部を破断する。この場合、前記ノズルの中心は、口部の径方向断面中心と残部の中心を通る直線とのなす角が略±４５°の線の範囲外に配されている。
【００１５】
より好ましくは、前記ボトル開栓部は、口部の径方向断面中心を通る鉛直線とのなす角が略±４５°の線上に残部の中心が位置するように蓋部を破断する。この場合、前記ノズルの中心は、鉛直線とのなす角が略−４５°および略−９０°の線の範囲内（残部が略４５°の線上に位置するとき）、または鉛直線とのなす角が略４５°および略９０°の線の範囲内（残部が略−４５°の線上に位置するとき）に配されている。
【００１６】
あるいは、前記ボトル開栓部は、口部の径方向断面中心を通る鉛直線の鉛直上向きの線上に残部の中心が位置するように蓋部を破断する。この場合、前記ノズルの中心は、鉛直線とのなす角が略４５°および略９０°の線の範囲内、または略−４５°および略−９０°の線の範囲内のうちの少なくともいずれかに配されている。
【００１７】
前記ノズルは、前記ボトル開栓部の内壁面に一体的に設けられていることが好ましい。また、前記ノズルは、複数設けてもよい。さらに、前記ノズルは、断面円形状の噴出口、もしくはスリット状の噴出口をもつことが好ましい。後者の場合、噴出口は前記ボトル開栓部の内壁面形状に沿って形成されていることが好ましい。
【００１８】
前記ノズルに洗浄液を供給する洗浄液供給手段と、前記ノズルから噴出する洗浄液の噴出量を計測する計測手段と、前記計測手段の計測結果に基づき、噴出量が所定範囲内となるよう前記洗浄液供給手段の駆動を制御する制御手段とをさらに備えることが好ましい。
【００１９】
前記洗浄液供給手段は、洗浄液が流れる洗浄液流路と、該流路に洗浄液を送り出すポンプとを有する。洗浄液流路は、消毒液タンクに供給する希釈液が流れる希釈液流路から分岐している。ポンプは、前記二つの流路で共用されている。
【００２０】
そして、洗浄液流路および希釈液流路の分岐箇所には、流路を切り換える流路切換手段が設けられている。前記制御手段は、前記計測手段の計測結果に基づき、洗浄液の噴出量が所定量となったときに、流路切換手段を駆動して洗浄液流路から希釈液流路に流路を切り換えることがより好ましい。このとき、前記制御手段は、洗浄液流路への洗浄液の供給量よりも希釈液流路への希釈液の供給量が多くなるように、ポンプの駆動を制御することが特に好ましい。
【００２１】
なお、前記計測手段は、洗浄液の瞬間流量、積算流量、または洗浄液の噴出時間のうちのいずれかを計測する。
【００２２】
所定量の濃縮液が消毒液タンクに供給されたことを検知する第１センサと、濃縮液を希釈して所定濃度の消毒液を調整し得る、所定量の洗浄液または希釈液が消毒液タンクに供給されたことを検知する第２センサとをさらに備えることが好ましい。この場合、前記制御手段は、前記第１センサにより所定量の濃縮液が消毒液タンクに供給されたことを検知したときに、前記洗浄液供給手段を駆動し、前記第２センサにより所定量の洗浄液または希釈液が消毒液タンクに供給されたことを検知したときに、前記洗浄液供給手段の駆動を停止、もしくは消毒液タンクへの希釈液の供給を停止する。
【発明の効果】
【００２３】
本発明によれば、ボトル洗浄用のノズルをボトル開栓部内に設け、また、ノズルと折り曲げられた蓋部とが濃縮液注入路の径方向において干渉しない位置にあり、さらにボトル内を洗浄した後、消毒液タンクへ向けて濃縮液注入路を通過するボトル洗浄液の濃縮液注入路内における水位よりも高い位置にノズルがあるので、ノズルから噴出される洗浄液がボトル内で折り曲げられた蓋部に当たってしまいボトルの奥まで洗浄液が届かないといった不具合や、ボトル内部を洗浄して消毒液タンクに向かうボトル洗浄液が、ノズルからボトルに向けて噴出されるボトル洗浄液と衝突するなどの不具合が解消される。したがって、簡単な構成により、部分的に切断された蓋部をボトル内に残しつつ、確実にボトル内部を洗浄することができる。ひいては、濃縮液の臭気漏れが効果的に防止され、作業環境を良好に保つことができる。
【発明を実施するための最良の形態】
【００２４】
図１に示す内視鏡１０は、本発明の内視鏡洗浄消毒装置によって洗浄、消毒される内視鏡の一例である。内視鏡１０は、生体の体腔内に挿入される挿入部１１と、挿入部１１を操作する操作部１２とを備えている。
【００２５】
挿入部１１は、断面が円形の棒状体であり、可撓性を有している。挿入部１１の先端には、体腔内を照明する照明部と、体腔内を撮影する撮影部（図示せず）とが設けられている。挿入部１１内には、挿入部１１の先端から一端が露呈されている、送気・送水チャンネル１５及び鉗子チャンネル１６が設けられている。鉗子チャンネル１６には、操作部１２内で吸引チャンネル１７が接続されている。
【００２６】
操作部１２には、鉗子チャンネル１６が接続された鉗子口２０と、送気・送水ボタン２１と、吸引ボタン２２とが設けられている。鉗子口２０には、使用時に取り外される鉗子口キャップ２３が嵌合されている。送気・送水ボタン２１及び吸引ボタン２２は、送気・送水チャンネル１５が接続された装着口１２ａ、及び吸引チャンネル１７が接続された装着口１２ｂに着脱自在に取り付けられている。送気・送水ボタン２１、吸引ボタン２２及び鉗子口キャップ２３は、内視鏡１０の洗浄時に操作部１２から取り外される。
【００２７】
操作部１２に接続されたユニバーサルコード２５及びコネクタ部２６内には、送気・送水チャンネル１５及び吸引チャンネル１７と、照明部及び撮影部の配線が組み込まれている。コネクタ部２６には、配線を光源装置やビデオプロセッサに接続する接点部が設けられている。内視鏡１０の洗浄時には、接点部を隠して防水する防水キャップ２７（図３参照）が、コネクタ部２６に装着される。なお、ここでは、光源装置に接続されるコネクタ部のみを図示している。
【００２８】
図２に示す内視鏡洗浄消毒装置（以下、単に装置と呼ぶ）２８は、箱状の装置本体３０を備えている。装置本体３０の上面には、使用後の内視鏡１０が収容される洗浄槽３１が設けられている。洗浄槽３１は、上部が開放された水槽であり、例えばステンレス等の耐熱性、耐蝕性等に優れた金属板で形成されている。
【００２９】
装置本体３０の上面手前には、操作パネル３３及び表示パネル３４が配されている。操作パネル３３は、内視鏡１０の洗浄、消毒に関する各種設定や、洗浄及び消毒の開始または停止等を指示するための多数のボタンを備えている。表示パネル３４には、例えば液晶ディスプレイ（ＬＣＤ）が用いられ、各種設定画面、各工程の残り時間、トラブル発生時の警告メッセージ等が表示される。
【００３０】
装置本体３０の前面には、扉３６により開閉自在にされたボトル収容部３７が設けられている。ボトル収容部３７には、ボトルユニット３８が収容される。ボトルユニット３８は、過酢酸の濃縮液を封入した第１ボトル３９と、緩衝剤を封入した第２ボトル４０とから構成されている。第１ボトル３９と第２ボトル４０は、外周に巻き回された帯状のフイルム４１によって締着されており、１つのボトルユニット３８として一体的に取り扱われる。
【００３１】
第１ボトル３９は、過酢酸の濃縮液に対する耐性を有するプラスチックによって形成されている。第１ボトル３９は、略箱状のボトル本体３９ａと、ボトル本体３９ａの上面に設けられた略円筒状の口部３９ｂと、口部３９ｂ内に設けられた蓋部３９ｃとを有している。ボトル本体３９ａ内には、濃縮液が貯えられている。口部３９ｂは、ボトル本体３９ａ内に連通されており、口部３９ｂを通してボトル本体３９ａ内の濃縮液を外部に注ぐことができる。蓋部３９ｃは、肉厚の薄い板状体からなり、濃縮液が漏れないように口部３９ｂを塞いでいる。
【００３２】
第１ボトル３９は、口部３９ｂが下方を向くように斜めに寝かせた状態でボトル収容部３７に収容される。口部３９ｂは、第１ボトル３９内の液体を自重により残さず外部に排出するため、ボトル本体３９ａの中心軸に対して偏心している。具体的には、第１ボトル３９を寝かせたときに、ボトル収容部３７の底面部１０７（図４参照）と接するボトル本体３９ａの側面３９ｄの内面に対し、口部３９ｂの内面が面一（同一平面内に位置する）とされている。なお、第２ボトル４０は、第１ボトル３９と同じ構成であるので、詳しい説明は省略する。
【００３３】
ボトル収容部３７の側方には、扉４４によって開閉自在にされたタンク収容部４５が設けられている。タンク収容部４５内には、洗剤タンク４６、アルコールタンク４７が収納されている。洗剤タンク４６には、内視鏡１０の洗浄に使用される洗剤（例えば、液状酵素洗剤等）８２（図４参照）が貯えられている。アルコールタンク４７には、内視鏡１０の洗浄、消毒後に各チャンネル内に流されるアルコールが貯えられている。
【００３４】
装置本体３０の上面には、洗浄槽３１を開閉するトップカバー４９が設けられている。トップカバー４９は、例えばプラスチックで形成された略矩形の板状体であり、装置本体３０の上面に設けられたヒンジ５０に一辺が軸支されている。トップカバー４９は、内視鏡１０の洗浄、消毒時に閉じられて洗浄槽３１の上部を覆う。トップカバー４９の外周には、閉じられたときに洗浄槽３１内を密閉するパッキン４９ａが設けられている。トップカバー４９の上面は、透明なのぞき窓となっており、洗浄や消毒の様子を視認することが可能である。また、詳しくは図示しないが、トップカバー４９には、閉じ位置でロックするためのロック機構が設けられている。
【００３５】
洗浄槽３１の奥の角部に設けられた傾斜部３１ａには、内視鏡１０の洗浄、消毒に用いる液体を洗浄槽３１内に供給する供給ポート５２が設けられている。供給ポート５２には、洗浄槽３１内に向けて屈曲された給水ノズル５３、洗剤供給ノズル５４、消毒液供給ノズル５５が設けられている。これらのノズル５３〜５５は、洗浄槽３１内に貯えられる液体の液面よりも高い位置に配置されている。供給ポート５２は、トップカバー４９が閉じられたときに、トップカバー４９に設けられた突出部４９ｂに収容される。
【００３６】
給水ノズル５３は、洗浄槽３１内に水を供給する。洗剤供給ノズル５４は、洗剤タンク４６内に貯えられている洗剤を洗浄槽３１内に供給する。消毒液供給ノズル５５は、消毒液タンク８７（図４参照）内に貯えられている消毒液を洗浄槽３１内に供給する。使用後の内視鏡１０に付着している体液や汚物は、水と洗剤とが混合された洗浄液により洗い流される。洗浄液で洗い流されなかった病原菌やウイルスは、消毒液により除去、または病原性が消失される。
【００３７】
内視鏡１０を洗浄槽３１に収容した状態を示す図３において、洗浄槽３１の内側面３１ｂには、チャンネル洗浄ポート５７が設けられている。チャンネル洗浄ポート５７は、内視鏡１０の送気・送水チャンネル１５、鉗子チャンネル１６、及び吸引チャンネル１７内の洗浄、消毒に用いられる。チャンネル洗浄ポート５７には、送気・送水チャンネル用カプラ５８、吸引チャンネル用カプラ５９、鉗子チャンネル用カプラ６０が設けられている。
【００３８】
内視鏡１０の装着口１２ａ、１２ｂ及び鉗子口２０は、柔軟性を有するチューブ６２〜６４によって、各カプラ５８〜６０に接続されている。各カプラ５８〜６０からは、水、洗浄液、消毒液、アルコール、圧縮エア等の液体及び気体が、送気・送水チャンネル１５、鉗子チャンネル１６、及び吸引チャンネル１７内に供給される。
【００３９】
洗浄槽３１の内側面３１ｂに対向する内側面３１ｃには、内視鏡１０の気密試験に用いられる気密試験ポート６５が設けられている。気密試験ポート６５には、圧縮エアを供給するチューブカプラ６５ａが設けられている。チューブカプラ６５ａには、柔軟性を有するチューブが装着される。チューブは、コネクタ部２６に装着された防水キャップ２７に接続される。
【００４０】
内側面３１ｃの近傍には、液面センサ（ＬＳ）６６が設けられている。液面センサ６６は、洗浄槽３１内に貯えられた液体の液面位置を検出する。液面センサ６６には、例えば、液面に応じてフロートが上下動するフロート式レベルセンサが用いられる。
【００４１】
洗浄槽３１の底面３１ｄの中央には、小物洗浄かご６８が取り付けられている。小物洗浄かご６８は、例えば上部が開口された円形のかごであり、内視鏡１０の操作部１２から取り外された送気・送水ボタン２１、吸引ボタン２２、鉗子口キャップ２３等の小物部品が収容される。底面３１ｄの手前の角部には、廃液口６９が設けられている。廃液口６９は、洗浄槽３１から使用済みの水、洗浄液、消毒液を排出する。
【００４２】
装置本体３０内の配管系統を示す図４において、洗浄槽３１の下面には、ラバーヒータ７１が取り付けられている。ラバーヒータ７１は、洗浄槽３１を介して、洗浄槽３１内に貯えられた洗浄液または消毒液を加熱する。洗浄槽３１内には、洗浄液または消毒液の温度を計測する温度センサ（ＴＥ）７２が設けられている。
【００４３】
給水ノズル５３には、水、洗浄液、消毒液が流される給液路７４が接続されている。給液路７４の他端は、電動三方弁７５の吐出口に接続されている。電動三方弁７５の一方の流入口には、給水路７６が接続されている。
【００４４】
給水路７６は、装置本体３０の外部に露呈されて水道水の蛇口に接続されている。給水路７６には、蛇口に接続される側から電磁弁７８、ウォータフィルタ（ＷＦ）７９、ウォータポンプ（以下、ＷＰと省略する）８０が設けられている。電磁弁７８は、給水路７６に対する水道水の供給／停止を切り換える。ＷＦ７９は、水道水に含まれる異物や細菌を捕捉する。ＷＰ８０は、給水路７６に対する水道水の供給流量を調整する。電動三方弁７５は、洗浄槽３１内に水を供給する際に、給液路７４と給水路７６とを接続する。
【００４５】
洗剤供給ノズル５４には、洗剤供給路８１が接続されている。洗剤供給路８１の他端は、洗剤８２が貯えられた洗剤タンク４６に接続されている。洗剤供給路８１には、ＷＰ８３が設けられている。ＷＰ８３は、洗剤タンク４６内の洗剤８２を吸引し、洗剤供給ノズル５４から吐出させる。
【００４６】
消毒液供給ノズル５５には、消毒液供給路８５が接続されている。消毒液供給路８５の他端は、消毒液８６が貯えられた消毒液タンク８７に接続されている。消毒液供給路８５には、ＷＰ８８が設けられている。ＷＰ８８は、消毒液タンク８７内の消毒液８６を吸引し、消毒液供給ノズル５５から吐出させる。
【００４７】
消毒液タンク８７は、過酢酸に対する耐性を有するポリプロピレン（ＰＰ）からなる。消毒液タンク８７は、装置本体３０内の空きスペースに合せた複雑な形状で、かつ所定の強度を持たせるために、ブロー成形により成形されている。消毒液タンク８７の下面には、使用済みの消毒液８６を排出する排出口９０が設けられている。排出口９０には、装置本体３０の外まで引き回された排出路９１が接続されている。排出路９１には、電磁弁９２が設けられている。
【００４８】
廃液口６９には、廃液路９４が接続されている。廃液路９４は、下流側で第１廃液路９５と第２廃液路９６とに分岐されている。第１廃液路９５は、内視鏡１０の洗浄で使用された洗浄液、水を、ＷＰ９７を介して装置本体３０の外に排出する。第２廃液路９６は、内視鏡１０の消毒に使用された消毒液８６を消毒液タンク８７に戻す。消毒液８６は、数回の使用では消毒効果が消失しないので、消毒液タンク８７に戻して繰り返し使用される。第１廃液路９５及び第２廃液路９６の各々に設けられた電磁弁９８、９９の開閉により、各廃液路９５、９６のいずれに廃液を流すかが切り換えられる。
【００４９】
廃液口６９には、循環路１０１も接続されている。循環路１０１には、洗浄槽３１内の液体を吸引するＷＰ１０２が設けられている。循環路１０１は、下流側で第１循環路１０３と第２循環路１０４とに分岐している。第１循環路１０３は、電動三方弁７５の他方の流入口に接続されている。電動三方弁７５は、第１循環路１０３と給液路７４とを接続し、ＷＰ１０２により洗浄槽３１内から吸引された液体を、給水ノズル５３から洗浄槽３１内に噴出して循環させる。
【００５０】
第２循環路１０４は、チャンネル洗浄ポート５７の各カプラ５８〜６０に接続されている。ＷＰ１０２により洗浄槽３１内から吸引された液体は、各カプラ５８〜６０から内視鏡１０の各チャンネル１５〜１７内に供給される。
【００５１】
チャンネル洗浄ポート５７には、第２循環路１０４の他、各チャンネル１５〜１７内に送風して水滴を除去する送気路や、各チャンネル１５〜１７内にアルコールを流して乾燥させるアルコール供給路等が接続されている。なお、図面の煩雑化を防ぐため、図４には、送気路、アルコール供給路等を図示していない。
【００５２】
ボトル収容部３７は、消毒液タンク８７の近傍に配置されている。ボトル収容部３７は、ボトルユニット３８が載置される底面部１０７を有している。底面部１０７は、装置本体３０の奥に向かって低くなるように傾斜している。ボトルユニット３８は、口部３９ｂが下方を向くように倒され、側面３９ｄが底面部１０７に接した状態でボトル収容部３７に載置される。底面部１０７の最下端には、第１ボトル取付部１０８が設けられている。第１ボトル取付部１０８は、第１ボトル３９の口部３９ｂの外側に、気密、かつ液密に嵌合する口金形状を有している。
【００５３】
第１ボトル取付部１０８には、消毒液タンク８７の上部に設けられた濃縮液注入路１０９が取り付けられている。濃縮液注入路１０９は、消毒液タンク８７内に連通されたパイプからなる。濃縮液注入路１０９の先端部分（第１ボトル取付部１０８内に突出している部分）は、第１ボトル３９の口部３９ｂを開栓するためのボトル開栓部１１０となっている。
【００５４】
図５に示すように、濃縮液注入路１０９は、例えばステンレス鋼等の金属製の管状部材であり、その先端部分であるボトル開栓部１１０は、先端側から順に、刃部１１０ａ、拡張面部１１０ｂ、押圧部１１０ｃ、逃がし部１１０ｄを備えている。
【００５５】
刃部１１０ａは、ボトル開栓部１１０をボトルユニット３８側から見て、ボトル開栓部１１０の径方向断面中心を通る鉛直線（口部３９ｂの径方向断面中心を通る鉛直線と同じ）Ｌ１（図６参照）の鉛直上向きを０時としたときに、例えば４時３０分の位置にその中心がある。刃部１１０ａは、ボトルユニット３８の口部３９ｂが第１ボトル取付部１０８内に押し込まれたときに蓋部３９ｃを押し破り、第１ボトル３９内に挿入される。
【００５６】
拡張面部１１０ｂは、蓋部３９ｃに当接して、ボトルユニット３８の挿入深度に応じて蓋部３９ｃの破断部分を拡張してゆく。逃がし部１１０ｄは、刃部１１０ａと対向する、例えば１０時３０分の位置にその中心がある。逃がし部１１０ｄは、拡張面部１１０ｂに対して、濃縮液注入路１０９の奥側に角度がつけられた面となっており、蓋部３９ｃと接触しないように構成されている。これにより、拡張面部１１０ｂによって拡張される蓋部３９ｃの破断部分が全周にわたることを防止する（蓋部３９ｃのうち、残部３９ｅ（図６参照）を残して蓋部３９ｃが口部３９ｂから破断される）。
【００５７】
押圧部１１０ｃは、拡張面部１１０ｂと逃がし部１１０ｄとの境界であり、ボトルユニット３８の挿入深度が一定値に達したときに蓋部３９ｃに当接し、そこからさらにボトルユニット３８の挿入深度を深めていくと、残部３９ｅを折り曲げながら蓋部３９ｃを第１ボトル３９の奥側に押し上げる。これにより、第１ボトル３９内の濃縮液を排出するための液流路が口部３９ｂに形成される。なお、口部３９ｂは、その内径が例えば３４ｍｍであり、残部３９ｅは、約１０ｍｍの長さ（円弧角３４°〜３６°）を有する。
【００５８】
ボトル開栓部１１０には、その内周面上に、ボトル洗浄ノズル１１２が一体的に設けられている。ボトル洗浄ノズル１１２の径方向の中心は、例えばボトル開栓部１１０の３時の位置にある。ボトル洗浄ノズル１１２の先端は、ボトルユニット３８の挿入時に蓋部３９ｃに当接することを防止するため、拡張面部１１０ｂより奥側（消毒液タンク８７側）に位置している。ボトル洗浄ノズル１１２には、給水路７６から分岐された洗浄液流路１１３（図４参照）が接続されている。
【００５９】
図６を用いて、蓋部３９ｃ、残部３９ｅ、ボトル洗浄ノズル１１２の、ボトル開栓部１１０の径方向断面における位置関係を説明する。残部３９ｅの中心（１０時３０分の位置）は、ボトル開栓部１１０の径方向断面中心を通る鉛直線Ｌ１に対して、−４５°（時計回りを＋、反時計回りを−とする）の角をなす直線Ｌ２上にある。ボトル洗浄ノズル１１２の中心（３時の位置）は、鉛直線Ｌ１に対して＋９０°の角をなす直線上にある。残部３９ｅとボトル洗浄ノズル１１２がこの位置関係にあるとき、折り曲げられた蓋部３９ｃ（図中ハッチング部分）と、ボトル洗浄ノズル１１２とが、ボトル開栓部１１０の径方向において干渉しない。言い換えると、ボトル洗浄ノズル１１２から噴出したボトル洗浄液が、折り曲げられた蓋部３９ｃにあたらない。
【００６０】
なお、詳しくは図示しないが、ボトル収容部３７には、第２ボトル４０のために第２ボトル取付部も設けられている。第２ボトル取付部は、第１ボトル取付部１０８と同様の形状を有している。第２ボトル取付部には、濃縮液注入路１０９と並んで消毒液タンク８７に設けられた緩衝剤注入路が接続されている。緩衝剤は、濃縮液と同時に、緩衝剤注入路を通って消毒液タンク８７内に供給される。
【００６１】
図４において、ボトル収容部３７内には、ボトルユニット３８を検知するボトルセンサ１１６が設けられている。ボトルセンサ１１６は、第１ボトル３９及び第２ボトル４０が、第１ボトル取付部１０８及び第２ボトル取付部に押し込まれたときに、ボトルユニット３８を検知する。
【００６２】
洗浄液流路１１３は、希釈液流路１１７から分岐している。希釈液流路１１７には、給水路７６側から順に、電磁弁１１１、電動三方弁１１４（流路切換手段）及び流量計１１５（計測手段）が設けられている。電動三方弁１１４の流入口には希釈液流路１１７が接続されており、一方の流出口には希釈液流路１１７が、他方の流出口には洗浄液流路１１３が接続されている。希釈液流路１１７は消毒液タンク８７に直接接続されている。電動三方弁１１４の切り換えにより、希釈液流路１１７に給水するか、洗浄液流路１１３に給水するかが選択される。
【００６３】
流量計１１５は、洗浄液流路１１３に供給されている水の瞬間流量を計測する。流量計１１５からの瞬間流量のデータに基づいてＷＰ８０がコントロールされ、給水路７６に対する水道水の供給圧が調整される。ボトル洗浄ノズル１１２から、第１ボトル３９内に噴射された水は、ボトル洗浄液として第１ボトル３９内を洗浄する。その後、一定時間をＣＰＵ１２２（制御手段、図７参照）が計測すると（洗浄液流路１１３に供給されている水の積算流量が一定値に達すると）、電動三方弁１１４が洗浄液流路１１３側から希釈液流路１１７側に切り換えられ、水（希釈液）が希釈液流路１１７から消毒液タンク８７内に注がれる。水が希釈液流路１１７を通るときには、洗浄液流路１１３を通るときよりも、ＷＰ８０による水の供給圧が高められる。これにより、短時間で消毒液タンク８７内に規定の水量の希釈液を供給することができる。
【００６４】
消毒液タンク８７内には、液体の液面を検出してオンする濃縮液センサ（第１センサ）１１８と、消毒液センサ（第２センサ）１１９とが設けられている。濃縮液センサ１１８及び消毒液センサ１１９は、例えば消毒液タンク８７に形成された孔を利用して、消毒液タンク８７の外側から消毒液タンク８７内に取り付けられている。消毒液タンク８７の孔と濃縮液センサ１１８及び消毒液センサ１１９の間には、消毒液８６の漏れを防止するパッキンが取り付けられている。このパッキンには、過酢酸に対する耐性を有するＰＰや、ポリエチレン（ＰＥ）等が用いられている。
【００６５】
濃縮液センサ１１８は、ボトルユニット３８から供給されるべき濃縮液及び緩衝剤の規定量を検知する。消毒液センサ１１９は、消毒液タンク８７内に貯えられている規定量の濃縮液及び緩衝剤を希釈して所定濃度の消毒液８６を調製するために供給されるべき希釈液の供給量を検知する。本発明では、希釈液流路１１７から供給される水だけでなく、第１ボトル３９から戻ったボトル洗浄液をも希釈液として用いている。そのため、消毒液センサ１１９は、第１ボトル３９から消毒液タンク８７内に流れ込んだボトル洗浄液、及び希釈液流路１１７から供給された水の総量が所定量に達したときに、濃縮液と、緩衝剤と、希釈液とが混合された液体の液面を検知する。
【００６６】
図７に示すように、装置２８は、装置全体を統括的に制御するＣＰＵ１２２と、制御プログラムや各種データが記憶されたＲＯＭ１２３と、ＲＯＭ１２３から読み出された制御プログラムの実行領域であるＲＡＭ１２４とを備えている。ＣＰＵ１２２には、液面センサ６６、温度センサ７２、流量計１１５、ボトルセンサ１１６、濃縮液センサ１１８、消毒液センサ１１９等のセンサが接続されている。また、ＣＰＵ１２２には、表示パネル３４を駆動するＬＣＤドライバ１２５、各電磁弁を駆動する弁ドライバ１２６、電動三方弁７５、１１４をそれぞれ駆動するモータドライバ１２７等も接続されている。各ＷＰを駆動するＷＰドライバ１２８、ラバーヒータ７１を駆動するヒータドライバ１２９等もＣＰＵ１２２に接続されている。
【００６７】
装置２８は、洗浄消毒モード、消毒液調製モード、消毒液排出モード等、複数の動作モードを備えている。各モードは、操作パネル３３の操作により選択される。以下では、図８のフローチャート及び図９を参照しながら、消毒液タンク８７内で新たな消毒液８６を調製する消毒液調製モードについて説明する。
【００６８】
装置２８が操作パネル３３の操作により消毒液調製モードにセット（Ｓ１）されると、ＣＰＵ１２２は、濃縮液センサ１１８及び消毒液センサ１１９の信号に基づいて、消毒液タンク８７内の消毒液８６の有無を確認する（Ｓ２）。ＣＰＵ１２２は、消毒液タンク８７内に消毒液８６が貯えられているとき（Ｓ２でＹ）には、電磁弁９２を開いて消毒液タンク８７内の消毒液８６を排出させる（Ｓ３）。消毒液タンク８７内に消毒液８６が無いとき（Ｓ２でＮ）には、ＣＰＵ１２２は、新しいボトルユニット３８の取り付けを受け入れる（Ｓ４）。なお、消毒液８６の排出後に所定量の希釈液を消毒液タンク８７内に供給し、消毒液タンク８７内を洗浄するのが好ましい。
【００６９】
図９（Ａ）に示すように、濃縮液１３２及び緩衝剤を貯えたボトルユニット３８は、口部３９ｂが下方を向くように斜めに寝かされた状態で、口部３９ｂ側からボトル収容部３７内に収容される。ボトルユニット３８は、底面部１０７上に載置される。
【００７０】
図９（Ｂ）に示すように、ボトルユニット３８は、底面部１０７上をスライドされ、第１ボトル取付部１０８内に口部３９ｂが押し込まれる。ボトルユニット３８の挿入深度にしたがって、刃部１１０ａが蓋部３９ｃを押し破り、拡張面部１１０ｂが蓋部３９ｃの破断部分を拡張してゆくが、逃がし部１１０ｄと押圧部１１０ｃの働きにより、蓋部３９ｃが口部３９ｂから完全に切り離されることはなく、残部３９ｅを折り曲げることにより液流路が口部３９ｂに形成される。このとき、口部３９ｂの外周には、第１ボトル取付部１０８が気密、かつ液密になるように嵌合されるので、濃縮液１３２の臭気が第１ボトル３９から漏れることはない。なお、詳しくは説明しないが、第２ボトル４０も第１ボトル３９と同様に、第２ボトル取付部に嵌合される。
【００７１】
ボトルユニット３８内の濃縮液１３２及び緩衝剤は、濃縮液注入路１０９及び緩衝剤注入路を通って消毒液タンク８７内に流れ込む。濃縮液センサ１１８は、濃縮液１３２と緩衝剤とが混合された液面を検出してオンする（Ｓ５でＹ）。
【００７２】
ボトルセンサ１１６は、ボトル収容部３７に収容されたボトルユニット３８を検知してオンしている。また、ＣＰＵ１２２は、ボトルセンサ１１６がオンしてから所定時間の計測を行っている。そして、所定時間内に濃縮液センサ１１８がオンしないとき（Ｓ５でＮ）は、空のボトルユニット３８、あるいは濃縮液１３２等の収容量の少ないボトルユニット３８等がセットされた可能性があるため、例えば、表示パネル３４にエラーメッセージを表示するなどのエラー処理を行う（Ｓ６）。なお、濃縮液１３２等が検知されないエラー原因としては、消毒液タンク８７の外に濃縮液１３２等が漏れる等の給液ミスも考えられる。
【００７３】
図９（Ｃ）に示すように、ＣＰＵ１２２は、濃縮液センサ１１８のオン信号に応じて、電磁弁７８、１１１を開く。また、電動三方弁１１４を洗浄液流路１１３側に切り換える。給水路７６及び洗浄液流路１１３を流れた水は、ボトル洗浄液１３６として、ボトル洗浄ノズル１１２から第１ボトル３９内に噴射される（Ｓ７）。これにより、第１ボトル３９内に残った濃縮液１３２がボトル洗浄液１３６により洗い流される。なお、消毒液調製モードでは、電動三方弁７５は、給液路７４と第１循環路１０３とを接続するように切り換えられているので、洗浄槽３１内に水が流れ込むことはない。
【００７４】
流量計１１５は、洗浄液流路１１３内を流れる水の瞬間流量を計測してＣＰＵ１２２にデータを送っている。ＣＰＵ１２２は、この瞬間流量が所定範囲内にあるかを監視している（Ｓ８）。例えば、この範囲は５〜６リットル／分である。瞬間流量が所定範囲内から外れる（Ｓ８でＮ）と、ＣＰＵ１２２はＷＰドライバ１２８を介してＷＰ８０による水の供給圧をコントロールし、瞬間流量が所定範囲内に収まるようにする（Ｓ９）。なお、適正な瞬間流量の範囲は第１ボトル３９のサイズ、ノズル１１２の位置、底面部１０７の傾斜角度などによって異なる。
【００７５】
このとき、図６に示すように、ボトル洗浄ノズル１１２から噴射されて第１ボトル３９内を洗浄した後、消毒液タンク８７へ向けて濃縮液注入路１０９を通過するボトル洗浄液１３６（戻り液）の、濃縮液注入路１０９の径方向断面における液面（水位）より、ボトル洗浄ノズル１１２は高い位置にある。このように、戻り液の流量を適正にコントロールすることにより、戻り液とボトル洗浄ノズル１１２が位置的に干渉しないようにでき、戻り液がノズル１１２から噴出されるボトル洗浄液１３６と衝突することが防止される。したがって、ノズル１１２から噴出されるボトル洗浄液１３６を確実に第１ボトル３９の奥まで届かせることができ、効果的に第１ボトル３９を洗浄することができる。なお、図６では、残部３９ｅ以外の蓋部３９ｃも口部３９ｂと接触しているように描かれているが、実際には、残部３９ｅ以外で蓋部３９ｃは口部３９ｂに接触していない。したがって、ボトル洗浄液１１２の戻り液の水位は、ボトル洗浄ノズル１１２の位置を考慮しない場合、残部３９ｅの縁の高さまでとすることが可能である。
【００７６】
ＣＰＵ１２２が所定時間を計時すると（Ｓ１０でＹ）、ＣＰＵ１２２はモータドライバ１２７を駆動して、電動三方弁１１４を、洗浄液流路１１３側から希釈液流路１１７側に切り換える（Ｓ１１）。なお、所定時間は例えば２０秒である。これにより、ボトル洗浄ノズル１１２からのボトル洗浄液１３６の噴出は止まり、希釈液流路１１７から水（希釈液）が消毒液タンク８７内に注がれる。水が希釈液流路１１７を通るときには、ＣＰＵ１２２がＷＰドライバ１２８を介して、ＷＰ８０による水の供給圧を洗浄液流路１１３を通るときよりも高める（Ｓ１２）。例えば、希釈液流路１１７を通る水の流量が、１０〜１２リットル／分となるようＷＰ８０による水の供給圧をコントロールする。これにより、ボトル洗浄ノズル１１２からのボトル洗浄液１３６のみによって濃縮液１３２を希釈する場合と比較して、短時間で濃縮液１３２を希釈することができる（消毒液タンク８７内に規定の水量の希釈液を供給することができる）というメリットが生まれる。なお、電動三方弁１１４を切り換えるタイミングとしては、ＣＰＵ１２２が所定時間を計時した後の代わりに、流量計１１５が所定の積算流量を計測した後としてもよい。
【００７７】
濃縮液注入路１０９を通って消毒液タンク８７内に流れ込んだボトル洗浄液１３６、及び希釈液流路１１７から消毒液タンク８７内に注がれた水は、濃縮液１３２を希釈して消毒液８６を調製する。消毒液８６の液面が消毒液センサ１１９に達すると、消毒液センサ１１９がオンする（Ｓ１３でＹ）。ＣＰＵ１２２は、消毒液センサ１１９のオン信号に応じて、弁ドライバ１２６を介して電磁弁７８、１１１を閉じ、希釈液の供給を停止する（Ｓ１４）。これにより、消毒液タンク８７内での、所定濃度の消毒液８６の調製が完了する。例えば、消毒液８６は、過酢酸６％の濃縮液１３２を２０倍に希釈したものである。
【００７８】
以上の如く調製された消毒液８６は、内視鏡１０の洗浄工程、すすぎ工程の後の、消毒工程にて用いられる。消毒工程では、ＣＰＵ１２２は、ＷＰ８８を駆動させて消毒液タンク８７内の消毒液８６を吸引し、洗浄槽３１内に所定量の消毒液８６を供給する。消毒液８６は、ラバーヒータ７１により加熱される。消毒液８６は、洗浄槽３１及び内視鏡１０の各チャンネル１５〜１７内を循環され、洗浄工程で洗い流されなかった病原菌やウイルスを除去、または病原性を消失させる。消毒工程の終了後、消毒液８６は、廃液路９４、９６を通って消毒液タンク８７内に戻される。最後に、消毒液８６を取り除くすすぎ工程と、内視鏡１０の各チャンネル１５〜１７内を送気及びアルコールにより乾燥させる乾燥工程を経て、内視鏡１０の洗浄消毒が完了する。
【００７９】
以上説明したように、ボトル洗浄ノズル１１２をボトル開栓部１１０内に設け、かつ折り曲げられた蓋部３９ｃとボトル洗浄ノズル１１２とが干渉しないようそれぞれの位置を規定したので、近距離から確実に第１ボトル３９内部を洗浄することができる。また、ボトル洗浄ノズル１１２はボトル洗浄液１３６の戻り液の水位より高い位置にあるので、第１ボトル３９内部を洗浄しながら、スムーズに戻り液を消毒液タンク８７内に導くことができる。
【００８０】
ボトル洗浄ノズル１１２から噴出されるボトル洗浄液１３６の量を計測し、噴出量が所定範囲内となるようにＷＰ８０の駆動を制御するので、ボトル洗浄ノズル１１２と洗浄液１３６の戻り液との干渉をより効果的に防止することができる。
【００８１】
さらに、洗浄液流路１１３は希釈液流路１１７から分岐しており、電動三方弁１１４はボトル洗浄液１３６の噴出量が所定量となったときに、洗浄液流路１１３から希釈液流路１１７に流路を切り換えるので、洗浄液１３６供給時と希釈液供給時とで液の噴出量を変えるなど、きめ細かい制御を簡単に行うことができる。また、洗浄液流路１１３と希釈液流路１１７とでＷＰ８０を共用するので、経済的である。
【００８２】
上記実施形態では、濃縮液注入路１０９の逃がし部１１０ｄを１０時３０分の位置に配置し、またボトル洗浄ノズル１１２を濃縮液注入路１０９の３時の位置に一体的に設けている。したがって、残部３９ｅの中心（１０時３０分の位置）は、口部３９ｂの径方向断面中心を通る鉛直線に対して−４５°の角をなす直線上にあり、ボトル洗浄ノズル１１２の中心（３時の位置）は、口部３９ｂの径方向断面中心を通る鉛直線に対して＋９０°の角をなす直線上にある。しかしながら、逃がし部１１０ｄとボトル洗浄ノズル１１２の配置は上記に限定されず、ボトル洗浄液１３６の戻り液とボトル洗浄ノズル１１２との干渉、及び第１ボトル３９内で折り曲げられた蓋部３９ｃとボトル洗浄ノズル１１２との干渉を防止することができればどのような配置でもよい。
【００８３】
ただし、蓋部３９ｃとボトル洗浄ノズル１１２、ボトル洗浄ノズル１１２と洗浄液１３６の戻り液との干渉を防止しつつ、ある程度の戻り液の流量を確保するために、好ましくは、残部３９ｅの中心が、口部３９ｂの径方向断面中心を通る鉛直線に対して略±９０°の角をなす線の範囲内にあり、ボトル洗浄ノズル１１２の中心が、口部３９ｂの径方向断面中心と残部３９ｅを通る直線とのなす角が略±４５°の線の範囲外にあることである。
【００８４】
例えば、残部３９ｅの中心が、口部３９ｂの径方向断面中心を通る鉛直線に対して略±９０°の角をなす線上にある場合は、ボトル洗浄ノズル１１２の中心は、鉛直線に対して略−４５°および略−１３５°の角をなす線の範囲外である。つまり、この場合は、ボトル洗浄ノズル１１２の中心を鉛直線上に配置してもよいことになる。なお、残部３９ｅの中心を、口部３９ｂの径方向断面中心を通る鉛直線に対して略±９０°の角をなす線上にしても、ボトル洗浄液１３６の戻り液の水位は、残部３９ｅの縁の高さまでとすることが可能であるので、十分な水位を確保することができる。
【００８５】
さらに好ましくは、残部３９ｅの中心が、鉛直線に対して略±４５°の角をなす線の線上にあり、ボトル洗浄ノズル１１２の中心が、鉛直線に対して略−４５°および略−９０°の角をなす線の範囲内（残部が略＋４５°の線上に位置するとき）、または鉛直線に対して略４５°および略９０°の角をなす線の範囲内（残部が略−４５°の線上に位置するとき）にあることである。
【００８６】
また、上記実施形態では、１つのボトル洗浄ノズル１１２をボトル開栓部１１０の３時の位置に設けているが、２つ以上のボトル洗浄ノズルをボトル開栓部１１０に設けることもできる。例えば、図１０に示すように、残部３９ｅの中心を０時の位置とし、ボトル洗浄ノズル１１２よりも径の小さい２つのボトル洗浄ノズル１５２ａ及び１５２ｂをそれぞれボトル開栓部１１０の３時と９時の位置に設ける。つまり、残部３９ｅの中心（０時の位置）は、ボトル開栓部１１０の径方向断面中心を通る鉛直線Ｌ１の鉛直上向きの線上にあり（Ｌ１＝Ｌ２）、ボトル洗浄ノズル１５２ａ及び１５２ｂの中心（３時及び９時の位置）は、鉛直線Ｌ１に対して＋９０°及び−９０°の角をなす直線上にある。
【００８７】
この形態によれば、２つのノズルを使用することにより、各ノズル径を小さくしても、規定量のノズル洗浄液を噴出させることができる。したがって、ノズルがボトル開栓部１１０の径方向中央側にせり出す量が小さいため、残部３９ｅを０時の位置に配置しても、折り曲げられた蓋部３９ｃとボトル洗浄ノズル１５２ａ及び１５２ｂとが干渉しない。この例によれば、残部３９ｅを０時の位置としている従来の先端形状を持つボトル開栓部１１０にボトル洗浄ノズル１５２ａ及び１５２ｂを設けるだけでよいので、設計面で有利である。また、２つのノズルを用いるので、効率よく第１ボトル３９内を洗浄できる。
【００８８】
なお、残部３９ｅの中心を０時の位置とする場合に、必ずしも２つのノズルを使用する必要はなく、またノズルの位置も３時及び９時の位置に限定されない。ただし、好ましくは、ノズルの中心が、口部３９ｂの径方向断面中心を通る鉛直線とのなす角が略４５°および略９０°の線の範囲内、または略−４５°および略−９０°の線の範囲内のうちの少なくともいずれかに配されていることである。
【００８９】
また、上記実施形態では、断面円形状のボトル洗浄ノズルを濃縮液注入路１０９に一体的に設けているが、別体でもよいし、ノズルの断面形状も円に限定されない。例えば、図１１に示すように、ボトル開栓部１１０の１時３０分の位置が中心となるように、ボトル開栓部１１０の径方向断面曲線に沿ったスリット状の噴出口をもつボトル洗浄ノズル１６２を一体的に設けることもできる。つまり、残部３９ｅの中心（１０時３０分の位置）は、ボトル開栓部１１０の径方向断面中心を通る鉛直線Ｌ１に対して−４５°の角をなす直線上にあり、ボトル洗浄ノズル１１２の中心（１時３０分の位置）は、Ｌ１に対して＋４５°の角をなす直線上にある。
【００９０】
この例によれば、濃縮液注入路１０９の径方向においてノズル１６２の幅が小さいため、断面円形状のノズル１１２を使用する場合と比較して、ノズル１６２を高い位置（０時により近い位置）に配置しても、折り曲げられた蓋部３９ｃと干渉しない。したがって、濃縮液注入路１０９の径方向断面における戻り液の液面（水位）を、断面円形状のノズル１１２を使用する場合と比較して、多くとも残部３９ｅの縁の高さまで高くすることができるので、ノズル１６２に供給されるボトル洗浄液の瞬間流量を、ノズル１１２を使用する場合と比較して多くすることができる。これは、第１ボトル３９の洗浄圧を高くでき、また消毒液８６を短時間で調製できるという利点を生む。
【００９１】
なお、上記実施形態では、ボトル洗浄ノズル１１２からのボトル洗浄液１３６の噴出量を計測する計測手段として、流量計１１５によりボトル洗浄ノズル１１２に供給されるボトル洗浄液１３６の瞬間流量を計測しているが、計測手段及び方法はこれに限定されず、ボトル洗浄液１３６の瞬間流量、積算流量、噴出時間のうち少なくともいずれかを計測する計測手段及び方法を用いればよい。例えば、流量計を用いずに、ＷＰの駆動時間等を元に瞬間流量、積算流量、噴出時間を概算してもよい。
【００９２】
なお、上記実施形態では電動三方弁１１４を用いて希釈液流路１１７から洗浄液流路１１３を分岐し、洗浄液流路１１３を通してボトル洗浄ノズル１１２から一定時間水（ボトル洗浄液１３６）を第１ボトル３９内に噴射した後、電動三方弁１１４を切り替えることにより、今度は水（希釈液）を希釈液流路１１７から消毒液タンク８７内に注ぎ、濃縮液１３２を希釈しているが、濃縮液１３２を希釈するための水を、すべてボトル洗浄ノズル１１２を経由させるようにしてもよい。この例によれば、濃縮液１３２を希釈する時間（消毒液８６を調製する時間）は多くかかるが、電動三方弁１１４と希釈液流路１１７を省略することが可能になり、装置を簡略にできるというメリットがある。また、この例では、流量計１１５によって、ボトル洗浄ノズル１１２に供給される積算流量を計測するようにすれば、消毒液センサ１１９を省略することもできる。
【００９３】
上記実施形態では、濃縮液１３２を消毒液タンク８７に供給した後に、ボトル洗浄ノズル１１２から噴射されるボトル洗浄液１３６、及び希釈液流路１１７から注がれる水を消毒液タンク８７に供給して濃縮液１３２を希釈することにより消毒液８６を調製しているが、濃縮液１３２の前に希釈液を消毒液タンク８７に供給して消毒液８６を調製してもよい。
【００９４】
具体的には、まず希釈液流路１１７から一定量の水（希釈液）を消毒液タンク８７に供給し、その後新しいボトルユニット３８の取り付けを受け入れて濃縮液１３２及び緩衝剤を消毒液タンク８７に供給し、最後に一定量のボトル洗浄液１３６をボトル洗浄ノズル１１２から噴射して第１ボトル３９を洗浄すると共に、その戻り液が消毒液タンク８７に供給されて消毒液８６が調製される。希釈液、濃縮液１３２、ボトル洗浄液１３６それぞれの液量は、消毒液タンク８７内に設けた液面検出センサや、流量計１１５を用いることにより計測できる。
【００９５】
この例によれば、消毒液タンク８７及び各センサのパッキンに濃縮液１３２が直接触れないので、消毒液タンク８７及びパッキンの劣化や、消毒液タンク８７内に結晶が析出することを防止することができる。また、希釈液、濃縮液１３２、ボトル洗浄液１３６の順に供給することによる攪拌効果も得られるので、消毒液８６の濃度分布をより均一にすることができる。
【００９６】
上記各実施形態では、濃縮液１３２の供給を実質的にユーザに行わせているが、装置２８で自動的に行ってもよい。例えば、濃縮液注入路１０９及び緩衝剤注入路に電磁弁を設け、ボトルユニット３８から消毒液タンク８７に濃縮液１３２等が供給されるタイミングを装置２８自身で決定する。また、上記各実施形態では、濃縮液１３２を封入した第１ボトル３９を洗浄するための構成及びプロセスを説明しているが、同様の構成及びプロセスは緩衝剤を封入した第２ボトル４０にも適用可能である。
【００９７】
本発明は、内視鏡の洗浄機能を有しない内視鏡消毒装置にも適用可能である。また、内視鏡の処置具や、その他の医療器具等の消毒装置にも利用することができる。本発明は、上記実施形態に限定されるものではなく、発明の要旨を逸脱しない範囲で種々変形して実施することが可能である。
【図面の簡単な説明】
【００９８】
【図１】内視鏡の構成例を示す平面図である。
【図２】本発明の内視鏡洗浄消毒装置の外観形状を示す斜視図である。
【図３】洗浄槽の構成を示す平面図である。
【図４】装置本体内の概略的な配管系統を示す配管図である。
【図５】ボトル取付部及びボトル開栓部の構成を示す斜視図である。
【図６】蓋部、ボトル洗浄ノズル、戻り液との位置関係を示す説明図である。
【図７】内視鏡洗浄消毒装置の電気的構成の一部を示すブロック図である。
【図８】消毒液調製モードの工程順序を示すフローチャートである。
【図９】消毒液調製モードの工程順序を示す説明図である。
【図１０】ボトル洗浄ノズルを２つ設けた例を示す説明図である。
【図１１】スリット状の噴出口をもつボトル洗浄ノズルを用いた例を示す説明図である。
【符号の説明】
【００９９】
１０  内視鏡
２８  内視鏡洗浄消毒装置
３７  ボトル収容部
３８  ボトルユニット
３９  第１ボトル
３９ｃ  蓋部
３９ｅ  残部
８６  消毒液
８７  消毒液タンク
１０８  第１ボトル取付部
１１０  ボトル開栓部
１１２、１５２ａ、１５２ｂ、１６２  ボトル洗浄ノズル
１１３  洗浄液流路
１１４  電動三方弁
１１５  流量計
１１７  希釈液流路
１１８  濃縮液センサ
１１９  消毒液センサ
１３２  濃縮液
１３６  ボトル洗浄液
【図１】
2010051425.tif 000003
【図２】
2010051425.tif 000004
【図３】
2010051425.tif 000005
【図４】
2010051425.tif 000006
【図５】
2010051425.tif 000007
【図６】
2010051425.tif 000008
【図７】
2010051425.tif 000009
【図８】
2010051425.tif 000010
【図９】
2010051425.tif 000011
【図１０】
2010051425.tif 000012
【図１１】
2010051425.tif 000013